(57)【特許請求の範囲】
【請求項１】
ケースと、前記ケース内に収容された２つのコンデンサと、アース用端子と、入出力用端子とを備え、
前記２つのコンデンサは、それぞれ、前記コンデンサの外面を構成する平面状のアース側電極と、前記コンデンサの外面を構成する入出力側電極とを有し、
アース用端子は、前記アース側電極に、直接、接続され、
前記入出力用端子は前記入出力側電極に接続され、
前記入出力側電極から導出されたリードには、コイル状のインダクタが形成され、
前記２つのコンデンサの前記入出力側電極から導出された２本のリードの先端部同士が、互いに接続されているノイズフィルタ。
【請求項２】
ケースと、
前記ケース内に収容され、外面の一部が略平面状のアース側電極となっているコンデンサと、
前記アース側電極に、直接、接続されたアース用端子と、
前記コンデンサの入出力側電極に接続された入出力用端子とを備え、
前記入出力側電極と前記入出力用端子とを接続する導電路に、磁性体コアが設けられているノイズフィルタ。
【発明の詳細な説明】
【技術分野】
【０００１】
本発明は、ノイズフィルタに関するものである。
【背景技術】
【０００２】
特許文献１には、ケース内に２つのコンデンサと１つのコイルを設けたπ型のノイズフィルタが開示されている。各コンデンサから突出した２本のリードのうち、一方のリードは入出力用端子に接続され、他方のリードはアース用端子に接続されている。
【先行技術文献】
【特許文献】
【０００３】
【特許文献１】特開２００９−２９０３７７号公報
【発明の概要】
【発明が解決しようとする課題】
【０００４】
上記のノイズフィルタは、アース用端子とコンデンサがリードを介して接続されている。そのため、この種のノイズフィルタでは、アース用端子とコンデンサのレイアウトによっては、ケース内にリードを配索するための大きなスペースが必要となる。そのため、ノイズフィルタが大型化するという問題がある。
【０００５】
本発明は上記のような事情に基づいて完成されたものであって、小型化を図ることを目的とする。
【課題を解決するための手段】
【０００６】
本発明のノイズフィルタは、
ケースと、
前記ケース内に収容され、外面の一部が略平面状のアース側電極となっているコンデンサと、
前記アース側電極に、直接、接続されたアース用端子と、
前記コンデンサの入出力側電極に接続された入出力用端子とを備えているところに特徴を有する。
【発明の効果】
【０００７】
ケース内には、コンデンサとアース用端子を接続するリードの配索スペースが不要なので、ケースを小型化することができる。
【図面の簡単な説明】
【０００８】
【図１】実施例１のノイズフィルタの平面図
【図２】実施例２のノイズフィルタの平面図
【図３】実施例３のノイズフィルタの平面図
【図４】実施例４のノイズフィルタの平面図
【図５】実施例５のノイズフィルタの平面図
【図６】実施例６のノイズフィルタの平面図
【図７】実施例７のノイズフィルタの平面図
【図８】実施例８のノイズフィルタの平面図
【発明を実施するための形態】
【０００９】
本発明のノイズフィルタは、前記コンデンサに設けられ、前記入出力側電極から導出されたリードと、前記リードによって形成された電気素子とを備えていてもよい。この構成によれば、リードがフィルタ素子として機能させることができるので、コンデンサとは別体のフィルタ素子を設ける場合に比べると、部品点数が少なくて済む。
【００１０】
本発明のノイズフィルタは、前記入出力側電極が前記コンデンサの外面において略平面状に露出しており、前記入出力側電極にバスバーの基端部が固着され、前記バスバーの先端部が前記入出力用端子として機能するようになっていてもよい。この構成によれば、ケースに収容する前に入出力側電極とバスバーを固着して一体化させておけば、ケースへの取り付け作業をワンアクションで行うことができる。
【００１１】
本発明のノイズフィルタは、前記入出力側電極と前記入出力用端子とを接続する導電路に、磁性体コアが設けられていてもよい。この構成によれば、フィルタ素子がコンデンサだけで構成されているものに比べると、フィルタ性能が向上する。
【００１２】
＜実施例１＞
以下、本発明を具体化した実施例１を図１を参照して説明する。本実施例１のノイズフィルタＡは、ケース１０と、２つの入出力用端子１５と、１つのアース用端子１７と、２つのコンデンサ２０とを備えて構成され、π型フィルタとして機能する。ケース１０は、合成樹脂等の絶縁性材料からなる。ケース１０は、内部が収容空間１２となっている本体部１１と、本体部１１の前壁部１３から前方へフード状に突出した左右一対の嵌合部１４とから構成されている。
【００１３】
本体部１１の前壁部１３には、左右一対の入出力用端子１５が前後に貫通した形態で取り付けられている。一方の入出力用端子１５は入力側端子となり、他方の入出力用端子１５は出力側端子となる。各入出力用端子１５の前端部は、嵌合部１４内に収容されてワイヤーハーネス（図示省略）に接続される。各入出力用端子１５の後端部は、収容空間１２の前端部に配されている。左右両入出力用端子１５の後端部には、コイル状のインダクタ１６の両端部が半田付け等により接続されている。
【００１４】
本体部１１の後端部には、アース用端子１７が取り付けられている。アース用端子１７の後端部は、本体部１１の外部後方へ露出し、アースポイント（図示省略）に接続するためのアース機能部１８となっている。アース用端子１７の前端部は、収容空間１２内に配されている。アース用端子１７の前端縁部には、平板状をなし、板厚方向を前後方向に向けたアース側接続部１９が形成されている。このアース側接続部１９は、一対のコンデンサ２０に接続される。
【００１５】
収容空間１２内には、２つのコンデンサ２０が左右に並んで収容されている。各コンデンサ２０の前端面は入出力側電極２１となっている。各入出力側電極２１からは、夫々、リード２２が前方へ導出されている。各リード２２の前端部は、夫々、入出力用端子１５の後端部に半田付け等により接続されている。
【００１６】
各コンデンサ２０の外面における後端面は、夫々、平面状をなすアース側電極２３となっている。アース側電極２３からリードは導出されていない。左右両コンデンサ２０のアース側電極２３は、いずれも、アース用端子１７に形成されている１つのアース側接続部１９の前面に対し、面当たり状態で直接的に、且つ導通可能に接続されている。アース側電極２３とアース用端子１７とを接続する手段としては、導電性を有する接着剤（図示省略）や、低温溶接や、溶着等の方法を採用することが可能である。また、アース用端子１７のアース側接続部１９に弾性接触片（図示省略）を形成し、この弾性接触片をアース側電極２３に対し弾性的に当接させてもよい。
【００１７】
本実施例１のノイズフィルタＡは、ケース１０と、ケース１０内に収容され、後端面（外面の一部）が略平面状のアース側電極２３となっているコンデンサ２０と、アース側電極２３に、直接、接続されたアース用端子１７と、コンデンサ２０の入出力側電極２１に接続された入出力用端子１５とを備えている。この構成によれば、ケース１０内には、コンデンサ２０とアース用端子１７を接続するためのリード２２の配索スペースが不要なので、ケース１０を小型化することができる。
【００１８】
＜実施例２＞
次に、本発明を具体化した実施例２を図２を参照して説明する。本実施例２のノイズフィルタＢは、π型フィルタとして機能するものであり、入出力用端子２５、インダクタ２７、コンデンサ２８に関しては上記実施例１とは異なる。ケース１０とアース用端子１７の構成については上記実施例１と同じであるため、同じ構成については、同一符号を付し、構造、作用及び効果の説明は省略する。
【００１９】
ケース１０には、前後方向に細長い左右一対のバスバー２４が取り付けられている。左右一対のバスバー２４の前端部は、入出力用端子２５として機能し、本体部１１の前壁部１３に貫通した形態で取り付けられている。一方のバスバー２４の入出力用端子２５は入力側端子となり、他方のバスバー２４の入出力用端子２５は出力側端子となる。各入出力用端子２５の前端部は、嵌合部１４内に収容されてワイヤーハーネス（図示省略）に接続される。左右両バスバー２４の後端縁部には、夫々、平板状をなし、板厚方向を前後方向に向けた端子側接続部２６が形成されている。左右両バスバー２４のうち入出力用端子２５と端子側接続部２６との間の領域には、コイル状のインダクタ２７の両端部が半田付け等により接続されている。
【００２０】
収容空間１２内には、２つのコンデンサ２８が左右に並んで収容されている。各コンデンサ２８の前端面は、平面状をなす入出力側電極２９となっている。入出力側電極２９からは、リードは導出していない。入出力側電極２９には、夫々、バスバー２４の端子側接続部２６の後面が、面当たり状態で直接的に、且つ導通可能に接続されている。入出力側電極２９と端子側接続部２６を接続する手段としては、導電性を有する接着剤（図示省略）や、低温溶接や、溶着等の方法を採用することが可能である。また、端子側接続部２６に弾性接触片（図示省略）を形成し、この弾性接触片を入出力側電極２９に対し弾性的に当接させてもよい。
【００２１】
各コンデンサ２８の外面における後端面は、夫々、平面状をなすアース側電極３０となっている。入出力側電極２９からは、リードは導出していない。左右両コンデンサ２８のアース側電極３０は、いずれも、アース用端子１７に形成されている１つのアース側接続部１９の前面に対し、面当たり状態で直接的に、且つ導通可能に接続されている。アース側電極３０とアース用端子１７を接続する手段としては、導電性を有する接着剤（図示省略）や、低温溶接や、溶着等の方法を採用することが可能である。また、アース側接続部に弾性接触片（図示省略）を形成し、この弾性接触片をアース側電極３０に弾性的に当接させてもよい。
【００２２】
本実施例２のノイズフィルタＢは、ケース１０と、ケース１０内に収容され、後端面（外面の一部）が略平面状のアース側電極３０となっているコンデンサ２８と、アース側電極３０に、直接、接続されたアース用端子１７と、コンデンサ２８の入出力側電極２９に接続された入出力用端子２５とを備えている。この構成によれば、ケース１０内には、コンデンサ２８とアース用端子１７を接続するためのリードの配索スペースが不要なので、ケース１０を小型化することができる。
【００２３】
また、ノイズフィルタＢは、入出力側電極２９がコンデンサ２８の外面（前端面）において略平面状に露出しており、入出力側電極２９にバスバー２４の基端部（端子側接続部２６）が固着され、バスバー２４の先端部が入出力用端子２５として機能するようになっている。この構成によれば、ケース１０に収容する前にコンデンサ２８の入出力側電極２９とバスバー２４を固着して一体化させておけば、コンデンサ２８とバスバー２４をワンアクションでケース１０に取り付けることができる。
【００２４】
＜実施例３＞
次に、本発明を具体化した実施例３を図３を参照して説明する。本実施例３のノイズフィルタＣは、π型フィルタとして機能するものであり、入出力用端子３１、コンデンサ３２、インダクタ３６（請求項に記載の電気素子）に関しては上記実施例１とは異なる。ケース１０とアース用端子１７の構成については上記実施例１と同じであるため、同じ構成については、同一符号を付し、構造、作用及び効果の説明は省略する。
【００２５】
本体部１１の前壁部１３には、左右一対の入出力用端子３１が前後に貫通した形態で取り付けられている。一方の入出力用端子３１は入力側端子となり、他方の入出力用端子３１は出力側端子となる。各入出力用端子３１の前端部は、嵌合部内に収容されてワイヤーハーネス（図示省略）に接続される。各入出力用端子３１の後端部は、収容空間１２の前端部に配されている。
【００２６】
収容空間１２内には、２つのコンデンサ３２が左右に並んで収容されている。各コンデンサ３２の前端面は入出力側電極３３となっている。各入出力側電極３３からは、夫々、１本の端子直結リード３４が前方へ導出されている。２本の端子直結リード３４の前端部は、一対の入出力用端子３１の後端部に半田付け等により個別に接続されている。
【００２７】
各コンデンサ３２の入出力側電極３３からは、夫々、端子直結リード３４の他に１本のコイル用リード３５（請求項に記載のリード）が前方へ導出されている。この２本のコイル用リード３５の先端部同士は、半田付け等によって接続されている。各コイル用リード３５の途中には、夫々、螺旋状（コイル状）のインダクタ３６が形成されている。インダクタ３６は、コイル用リード３５、入出力側電極３３、及び端子直結リード３４を介して一対の入出力用端子３１に接続されている。
【００２８】
各コンデンサ３２の外面における後端面は、夫々、平面状をなすアース側電極３７となっている。アース側電極３７からリードは導出されていない。左右両コンデンサ３２のアース側電極３７は、いずれも、アース用端子１７に形成されている１つのアース側接続部１９の前面に対し、面当たり状態で直接的に、且つ導通可能に接続されている。アース側電極３７とアース用端子１７とを接続する手段としては、導電性を有する接着剤（図示省略）や、低温溶接や、溶着等の方法を採用することが可能である。また、アース用端子１７のアース側接続部に弾性接触片（図示省略）を形成し、この弾性接触片をアース側電極３７に対し弾性的に当接させてもよい。
【００２９】
本実施例３のノイズフィルタＣは、ケースと、ケース内に収容され、後端面（外面の一部）が略平面状のアース側電極３７となっているコンデンサ３２と、アース側電極３７に、直接、接続されたアース用端子１７と、コンデンサ３２の入出力側電極３３に接続された入出力用端子３１とを備えている。この構成によれば、ケース内には、コンデンサ３２とアース用端子１７を接続するためのリードの配索スペースが不要なので、ケースを小型化することができる。
【００３０】
また、コンデンサ３２は、入出力側電極３３から導出されたコイル用リード３５と、コイル用リード３５に形成されたコイル状のインダクタ３６とを備えている。この構成によれば、コンデンサ３２のコイル用リード３５に形成した電気素子であるインダクタ３６がフィルタ素子として機能するので、コンデンサ３２とは別体のインダクタ３６（フィルタ素子）を設ける場合に比べると、部品点数が少なくて済む。
【００３１】
＜実施例４＞
次に、本発明を具体化した実施例４を図４を参照して説明する。本実施例４のノイズフィルタＤは、コンデンサ３８、インダクタに関して上記実施例３と異なる構成としたものである。ケース１０とアース用端子１７と入出力用端子３１の構成については上記実施例３と同じであるため、同じ構成については、同一符号を付し、構造、作用及び効果の説明は省略する。
【００３２】
収容空間１２内には、２つのコンデンサ３８が左右に並んで収容されている。各コンデンサ３８の前端面は入出力側電極３９となっている。各入出力側電極３９からは、夫々、１本の端子直結リード４０が前方へ導出されている。２本の端子直結リード４０の前端部は、一対の入出力用端子の後端部に半田付け等により個別に接続されている。
【００３３】
各コンデンサ３８の入出力側電極３９からは、夫々、端子直結リード４０の他に１本の短絡用リード４１（請求項に記載の導電路）が前方へ導出されている。この２本の短絡用リード４１の先端部同士は、半田付け等によって接続されている。そして、この２本の短絡用リード４１の接続部分は、リング状の磁性体コア４２によって包囲されている。磁性体コア４２は、フィルタ素子として機能する。本実施例４のノイズフィルタＤは、磁性体コア４２を備えているので、フィルタ素子がコンデンサ３８だけで構成されているものに比べると、フィルタ性能が向上する。
【００３４】
各コンデンサ３８の外面における後端面は、夫々、平面状をなすアース側電極４３となっている。アース側電極４３からリードは導出されていない。左右両コンデンサ３８のアース側電極４３は、いずれも、アース用端子１７に形成されている１つのアース側接続部１９の前面に対し、面当たり状態で直接的に、且つ導通可能に接続されている。アース側電極４３とアース用端子１７とを接続する手段としては、導電性を有する接着剤（図示省略）や、低温溶接や、溶着等の方法を採用することが可能である。また、アース用端子１７のアース側接続部１９に弾性接触片（図示省略）を形成し、この弾性接触片をアース側電極４３に対し弾性的に当接させてもよい。
【００３５】
本実施例４のノイズフィルタＤは、ケース１０と、ケース１０内に収容され、後端面（外面の一部）が略平面状のアース側電極４３となっているコンデンサ３８と、アース側電極４３に、直接、接続されたアース用端子１７と、コンデンサ３８の入出力側電極３９に接続された入出力用端子３１とを備えている。この構成によれば、ケース１０内には、コンデンサ３８とアース用端子１７を接続するためのリードの配索スペースが不要なので、ケース１０を小型化することができる。
【００３６】
＜実施例５＞
次に、本発明を具体化した実施例５を図５を参照して説明する。本実施例５のノイズフィルタＥは、バスバー４４と入出力用端子４５に関して上記実施例２と異なる構成としたものである。ケース１０とアース用端子１７とコンデンサ２８の構成については上記実施例２と同じであるため、同じ構成については、同一符号を付し、構造、作用及び効果の説明は省略する。
【００３７】
ケース１０には、左右一対のバスバー４４（請求項に記載の導電路）が取り付けられている。各バスバー４４の前端部は、入出力用端子４５として機能し、本体部１１の前壁部１３に貫通した形態で取り付けられている。一方のバスバー４４の入出力用端子４５は入力側端子となり、他方のバスバー４４の入出力用端子４５は出力側端子となる。各入出力用端子４５の前端部は、嵌合部１４内に収容されてワイヤーハーネス（図示省略）に接続される。左右両バスバー４４の後端縁部には、夫々、平板状をなし、板厚方向を前後方向に向けた端子側接続部４６が形成されている。
【００３８】
２つのコンデンサ２８の入出力側電極２９には、夫々、バスバー４４の端子側接続部４６の後面が、面当たり状態で直接的に、且つ導通可能に接続されている。入出力側電極２９と端子側接続部４６を接続する手段としては、導電性を有する接着剤（図示省略）や、低温溶接や、溶着等の方法を採用することが可能である。また、端子側接続部４６に弾性接触片（図示省略）を形成し、この弾性接触片をアース側電極３０に対し弾性的に当接させてもよい。
【００３９】
左右両バスバー４４の長さ方向における略中央部は、互いに相手側のバスバー４４に接近するように略台形状に屈曲した近接部４７となっている。この両近接部４７は、リング状の磁性体コア４８によって包囲されている。磁性体コア４８は、フィルタ素子として機能する。このように本実施例５のノイズフィルタＥは、入出力側電極２９と入出力用端子４５とを接続するバスバー４４に、磁性体コア４８が設けられているので、フィルタ素子がコンデンサ２８だけで構成されているものに比べると、フィルタ性能に優れている。
【００４０】
本実施例５のノイズフィルタＥは、ケース１０と、ケース１０内に収容され、後端面（外面の一部）が略平面状のアース側電極３０となっているコンデンサ２８と、アース側電極３０に、直接、接続されたアース用端子１７と、コンデンサ２８の入出力側電極２９に接続された入出力用端子４５とを備えている。この構成によれば、ケース１０内には、コンデンサ２８とアース用端子１７を接続するためのリードの配索スペースが不要なので、ケース１０を小型化することができる。
【００４１】
また、ノイズフィルタＥは、入出力側電極２９がコンデンサ２８の外面（前端面）において略平面状に露出しており、入出力側電極２９にバスバー４４の基端部（端子側接続部４６）が固着され、バスバー４４の先端部が入出力用端子４５として機能するようになっている。この構成によれば、ケース１０に収容する前にコンデンサ２８の入出力側電極２９とバスバー４４を固着して一体化させておけば、コンデンサ２８とバスバー４４をワンアクションでケース１０に取り付けることができる。
【００４２】
＜実施例６＞
次に、本発明を具体化した実施例６を図６を参照して説明する。本実施例６のノイズフィルタＦは、入出力用端子５２とバスバー４９に関して上記実施例２，５と異なる構成としたものである。ケース１０とアース用端子１７とコンデンサ２８の構成については上記実施例２，５と同じであるため、同じ構成については、同一符号を付し、構造、作用及び効果の説明は省略する。
【００４３】
ケース１０には、平面視形状が「Ｈ形」をなすバスバー４９（請求項に記載の導電路）が取り付けられている。バスバー４９は、前後方向に細長い左右一対の端子機能部５０と、左右両端子機能部５０の長さ方向略中央部同士を連結する連結部５１とを備えた単一部品である。各端子機能部５０の前端部は、入出力用端子５２として機能し、本体部１１の前壁部１３に貫通した形態で取り付けられている。一方のバスバー４９の入出力用端子５２は入力側端子となり、他方のバスバー４９の入出力用端子５２は出力側端子となる。各入出力用端子５２の前端部は、嵌合部１４内に収容されてワイヤーハーネス（図示省略）に接続される。左右両端子機能部５０の後端縁部には、夫々、平板状をなし、板厚方向を前後方向に向けた端子側接続部５３が形成されている。
【００４４】
２つのコンデンサ２８の入出力側電極２９には、夫々、バスバー４９の端子側接続部５３の後面が、面当たり状態で直接的に、且つ導通可能に接続されている。入出力側電極２９と端子側接続部５３を接続する手段としては、導電性を有する接着剤（図示省略）や、低温溶接や、溶着等の方法を採用することが可能である。また、端子側接続部５３に弾性接触片（図示省略）を形成し、この弾性接触片を入出力側電極２９に対し弾性的に当接させてもよい。
【００４５】
連結部５１は、リング状の磁性体コア５４によって包囲されている。磁性体コア５４は、フィルタ素子として機能する。このように本実施例６のノイズフィルタＦは、入出力側電極２９と入出力用端子５２とを接続するバスバー４９に、磁性体コア５４が設けられているので、フィルタ素子がコンデンサ２８だけで構成されているものに比べると、フィルタ性能に優れている。
【００４６】
本実施例６のノイズフィルタＦは、ケース１０と、ケース１０内に収容され、後端面（外面の一部）が略平面状のアース側電極となっているコンデンサ２８と、アース側電極に、直接、接続されたアース用端子１７と、コンデンサ２８の入出力側電極２９に接続された入出力用端子５２とを備えている。この構成によれば、ケース１０内には、コンデンサ２８とアース用端子１７を接続するためのリードの配索スペースが不要なので、ケース１０を小型化することができる。
【００４７】
また、ノイズフィルタＦは、入出力側電極２９がコンデンサ２８の外面（前端面）において略平面状に露出しており、入出力側電極２９にバスバー４９の基端部（端子側接続部５３）が固着され、バスバー４９の先端部が入出力用端子５２として機能するようになっている。この構成によれば、ケース１０に収容する前にコンデンサ２８の入出力側電極２９とバスバー４９を固着して一体化させておけば、コンデンサ２８とバスバー４９をワンアクションでケース１０に取り付けることができる。
【００４８】
＜実施例７＞
次に、本発明を具体化した実施例７を図７を参照して説明する。本実施例７のノイズフィルタＧは、Ｌ型フィルタとして機能するものであり、コンデンサ５５、インダクタ５９（請求項に記載の電気素子）に関しては上記実施例３，４とは異なる。ケース１０と入出力用端子３１とアース用端子１７の構成については上記実施例３，４と同じであるため、同じ構成については、同一符号を付し、構造、作用及び効果の説明は省略する。
【００４９】
収容空間内には、１つのコンデンサ５５が収容されている。コンデンサ５５の前端面は入出力側電極５６となっている。入出力側電極５６からは、１本の端子直結リード５７が前方へ導出されている。端子直結リード５７の前端部は、左右一対の入出力用端子３１のうち一方の入出力用端子３１の後端部に半田付け等により接続されている。
【００５０】
コンデンサ５５の入出力側電極５６からは、端子直結リード５７の他に１本のコイル用リード５８が前方へ導出されている。このコイル用リード５８の先端部は、左右一対の入出力用端子３１のうち他方の入出力用端子３１の後端部に半田付け等によって接続されている。コイル用リード５８の途中には、螺旋状（コイル状）のインダクタ５９が形成されている。
【００５１】
コンデンサ５５の外面における後端面は、平面状をなすアース側電極６０となっている。アース側電極６０からリードは導出されていない。アース側電極６０は、アース用端子１７に形成されているアース側接続部１９の前面に対し、面当たり状態で直接的に、且つ導通可能に接続されている。アース側電極６０とアース用端子１７とを接続する手段としては、導電性を有する接着剤（図示省略）や、低温溶接や、溶着等の方法を採用することが可能である。また、アース用端子１７のアース側接続部１９に弾性接触片（図示省略）を形成し、この弾性接触片をアース側電極６０に対し弾性的に当接させてもよい。
【００５２】
本実施例７のノイズフィルタＧは、ケース１０と、ケース１０内に収容され、後端面（外面の一部）が略平面状のアース側電極６０となっているコンデンサ５５と、アース側電極６０に、直接、接続されたアース用端子１７と、コンデンサ５５の入出力側電極５６に接続された入出力用端子３１とを備えている。この構成によれば、ケース１０内には、コンデンサ５５とアース用端子１７を接続するためのリードの配索スペースが不要なので、ケース１０を小型化することができる。
【００５３】
また、コンデンサ５５は、入出力側電極５６から導出されたコイル用リード５８と、コイル用リード５８に形成されたコイル状のインダクタ５９とを備えている。この構成によれば、コンデンサ５５のコイル用リード５８に形成した電気素子であるインダクタ５９がフィルタ素子として機能するので、コンデンサ５５とは別体のインダクタ５９（フィルタ素子）を設ける場合に比べると、部品点数が少なくて済む。
【００５４】
＜実施例８＞
次に、本発明を具体化した実施例８を図８を参照して説明する。本実施例８のノイズフィルタＨは、Ｔ型フィルタとして機能するものであり、コンデンサ６１、インダクタ６４に関しては上記実施例７とは異なる。ケース１０と入出力用端子３１とアース用端子１７の構成については上記実施例７と同じであるため、同じ構成については、同一符号を付し、構造、作用及び効果の説明は省略する。
【００５５】
収容空間１２内には、１つのコンデンサ６１が収容されている。コンデンサ６１の前端面は入出力側電極６２となっている。入出力側電極６２からは、２本のコイル用リード６３が前方へ導出されている。２本のコイル用リード６３の前端部は、左右一対の入出力用端子３１の後端部に半田付け等により個別に接続されている。左右両コイル用リード６３の途中には、螺旋状のインダクタ６４が形成されている。
【００５６】
コンデンサ６１の外面における後端面は、平面状をなすアース側電極６５となっている。アース側電極６５からリードは導出されていない。アース側電極６５は、アース用端子１７に形成されているアース側接続部１９の前面に対し、面当たり状態で直接的に、且つ導通可能に接続されている。アース側電極６５とアース用端子１７とを接続する手段としては、導電性を有する接着剤（図示省略）や、低温溶接や、溶着等の方法を採用することが可能である。また、アース用端子１７のアース側接続部１９に弾性接触片（図示省略）を形成し、この弾性接触片をアース側電極６５に対し弾性的に当接させてもよい。
【００５７】
本実施例８のノイズフィルタＨは、ケース１０と、ケース１０内に収容され、後端面（外面の一部）が略平面状のアース側電極６５となっているコンデンサ６１と、アース側電極６５に、直接、接続されたアース用端子１７と、コンデンサ６１の入出力側電極６２に接続された入出力用端子３１とを備えている。この構成によれば、ケース１０内には、コンデンサ６１とアース用端子１７を接続するためのリードの配索スペースが不要なので、ケース１０を小型化することができる。
【００５８】
また、コンデンサ６１は、入出力側電極６２から導出された２本のコイル用リード６３と、２本のコイル用リード６３の夫々に形成されたコイル状のインダクタ６４とを備えている。この構成によれば、コンデンサ６１のコイル用リード６３に電気素子として形成したインダクタ６４がフィルタ素子として機能するので、コンデンサ６１とは別体のインダクタ６４（フィルタ素子）を設ける場合に比べると、部品点数が少なくて済む。
【００５９】
＜他の実施例＞
本発明は上記記述及び図面によって説明した実施例に限定されるものではなく、例えば次のような実施例も本発明の技術的範囲に含まれる。
（１）上記実施例１，２，３，７，８では、インダクタ（電気素子）をコイル状に巻回したものとしたが、インダクタ（電気素子）は、同一平面上で渦巻き状に巻回したものであってもよい。
（２）上記実施例１，２，３，７，８では、コイル状に巻回したものだけでインダクタ（フィルタ素子）としての機能を発揮させているが、コイルの内部に磁性体コアを配置したものや、同一平面上で渦巻き状に巻回した線材の渦の中心部に磁性体コアを配置したものをインダクタ（フィルタ素子）として機能させてもよい。
（３）上記実施例３，７，８では、コンデンサのリードによって形成される電気素子がインダクタであるが、リードによって形成される電気素子は、公知の巻線抵抗であってもよい。
【符号の説明】
【００６０】
Ａ，Ｂ，Ｃ，Ｄ，Ｅ，Ｆ，Ｇ，Ｈ…ノイズフィルタ
１０…ケース
１５，２５，３１，４５，５２…入出力用端子
１７…アース用端子
２０，２８，３２，３８，５５，６１…コンデンサ
２１，２９，３３，３９，５６…入出力側電極
２３，３０，６０，６５…アース側電極
２４…バスバー
３５，５８…コイル用リード（リード）
３６，５９…インダクタ（電気素子）
４１…短絡用リード（導電路）
４２，４８，５４…磁性体コア
４４，４９…バスバー（導電路）
【図１】
0006642122.tif 000002
【図２】
0006642122.tif 000003
【図３】
0006642122.tif 000004
【図４】
0006642122.tif 000005
【図５】
0006642122.tif 000006
【図６】
0006642122.tif 000007
【図７】
0006642122.tif 000008
【図８】
0006642122.tif 000009